Podtech/llm-jp-corpus-v4-ja_patent huggingface dataset:
【手続補正書】
【提出日】平成27年11月12日(2015.11.12)
【手続補正１】
【補正対象書類名】特許請求の範囲
【補正対象項目名】全文
【補正方法】変更
【補正の内容】
【特許請求の範囲】
【請求項１】
コードスキャナを使用して、（ｉ）商人を識別する商人識別コードをエンコードするクイック応答（ＱＲ）コード及び（ｉｉ）前記商人からの勘定書をスキャニングし；
前記コードスキャナを使用して、前記ＱＲコードをデコードして、前記商人識別コードを回復し；
前記コードスキャナからアプリケーションサーバーへ、前記商人識別コードを送信し、前記アプリケーションサーバーから前記商人の勘定書のテンプレート仕様を要求し、
前記アプリケーションサーバーから前記コードスキャナで前記商人の勘定書のテンプレート仕様を受信し、
前記コードスキャナにおいて、前記勘定書の前記画像に対して光学的文字認識を遂行して、ウェイター識別に関するデータ、テーブル番号に関するデータ、及び勘定書の支払額に関するデータを回復し、
前記商人からの前記勘定書に関する情報を前記コードスキャナに表示し；
前記コードスキャナを使用して、勘定を支払うための第１の支払手段を選択し、勘定の支払を許可し；
前記コードスキャナからアプリケーションサーバーへ、前記勘定書の支払金額に関するデータ、及び第１支払手段に関するデータを送信し；及び
勘定の支払が成功であったか不成功であったかを指示する状態データを前記アプリケーションサーバーから前記コードスキャナで受信する；
ことを含む方法。
【請求項２】
前記ＱＲコードは、更に、勘定書を識別する勘定書識別コードをエンコードし、前記ＱＲコードをデコードすることは、更に、勘定書識別コードを回復させる、請求項１に記載の方法。
【請求項３】
前記勘定書の支払額に関するデータ、前記ウェイター識別に関するデータ、及び前記テーブル番号に関するデータを前記コードスキャナに表示することを更に含む、請求項１又は２に記載の方法。
【請求項４】
前記コードスキャナにおいて前記勘定書に関する情報を変更することを更に含む、請求項１、２、又は３に記載の方法。
【請求項５】
前記コードスキャナにおいて前記勘定にチップを追加することを更に含む、請求項４に記載の方法。
【請求項６】
前記勘定が支払われたとの指示を前記コードスキャナに表示することを更に含む、請求項１から５のいずれかに記載の方法。
【請求項７】
前記勘定の支払が成功しなかったとの指示を前記コードスキャナに表示し；
前記コードスキャナを使用して、前記勘定を支払うための第２の支払手段を選択し、前記勘定の支払を許可し；及び
前記コードスキャナから前記アプリケーションサーバーへ前記第２の支払手段に関するデータを送信する；
ことを更に含む、請求項１から６のいずれかに記載の方法。
【請求項８】
前記コードスキャナを使用して、前記勘定を分割する複数の除数の１つを選択することを更に含む、請求項１から７のいずれかに記載の方法。
【請求項９】
前記勘定を支払うための前記第１の支払手段を選択する前に、前記第１の支払手段に関するデータを、前記コードスキャナによりアクセス可能なユーザプロフィールに記憶することを更に含む、請求項１に記載の方法。
【請求項１０】
プロセッサと；
（ｉ）商人を識別する商人識別コードをエンコードするクイック応答（ＱＲ）コード及び（ｉｉ）勘定書の画像をスキャンするように構成されたスキャナと；
（ｉ）前記ＱＲコードをデコードし、（ｉｉ）前記勘定書の画像の光学的文字認識を遂行してウェイター識別に関するデータ、テーブル番号に関するデータ、及び勘定書の支払額に関するデータを回復するために前記プロセッサにより実行可能なコンピュータ読み取り可能なプログラムインストラクションを含む非一時的コンピュータ読み取り可能なデータ記憶装置と；
勘定情報を表示して、ユーザが、勘定を支払う第１の支払手段を選択しかつ勘定の支払を許可することができるように構成されたユーザインターフェイスと；
（ｉ）アプリケーションサーバーへ前記商人識別コード、前記勘定書の支払金額に関するデータ、及び第１支払手段に関するデータを送信し、（ｉｉ）前記アプリケーションサーバーから前記商人の勘定書のテンプレート仕様を要求するように構成されたネットワークインターフェイスと；
を備え、
前記ネットワークインターフェイスは、（ｉ）前記勘定を支払う最初の試みが成功であったか不成功であったか指示する状態データ、及び（ｉｉ）前記商人の勘定書のテンプレート仕様を前記アプリケーションサーバーから受信するように構成された、コードスキャナ装置。
【請求項１１】
前記ユーザインターフェイスは、前記勘定書の支払額を変更するデータを受信するように構成される、請求項１０に記載のコードスキャナ装置。
【請求項１２】
前記ユーザインターフェイスは、前記勘定書にチップを追加するデータを受信するように構成される、請求項１０又は１１に記載のコードスキャナ装置。
【請求項１３】
前記ユーザインターフェイスは、前記勘定を分割する複数の除数の１つの選択を受信するように構成される、請求項１０から１２のいずれかに記載のコードスキャナ装置。
【請求項１４】
前記コンピュータ読み取り可能なプログラムインストラクションは、前記コードスキャナによりアクセス可能なユーザプロフィールに前記第１の支払手段に関するデータを記憶するために前記プロセッサにより実行可能である、請求項１０から１３のいずれかに記載のコードスキャナ装置。
【誤訳訂正書】
【提出日】平成28年5月13日(2016.5.13)
【誤訳訂正１】
【訂正対象書類名】明細書
【訂正対象項目名】００１１
【訂正方法】変更
【訂正の内容】
【００１１】
このとき、前記多孔性基材は、高密度ポリエチレン、低密度ポリエチレン、線状低密度ポリエチレン、超高分子量ポリエチレン、ポリプロピレン、ポリエチレンテレフタレート、ポリブチレンテレフタレート、ポリエステル、ポリアセタール、ポリアミド、ポリカーボネート、ポリイミド、ポリエーテルエーテルケトン、ポリエーテルスルホン、ポリフェニレンオキサイド、ポリフェニレンスルファイド、及びポリエチレンナフタレンからなる群より選択されるいずれか１つまたはこれらのうち２種以上の混合物で形成することができる。
【誤訳訂正２】
【訂正対象書類名】明細書
【訂正対象項目名】００３２
【訂正方法】変更
【訂正の内容】
【００３２】
前記不織布としては、ポリオレフィン系不織布の外に、例えば、ポリエチレンテレフタレート、ポリブチレンテレフタレート、ポリエステル、ポリアセタール、ポリアミド、ポリカーボネート、ポリイミド、ポリエーテルエーテルケトン、ポリエーテルスルホン、ポリフェニレンオキサイド、ポリフェニレンスルファイド、及びポリエチレンナフタレンなどをそれぞれ単独でまたはこれらを混合した高分子で形成した不織布が挙げられる。不織布の構造は、長繊維で構成されたスパンボンド(spun-bond)不織布またはメルトブローン(melt-blown)不織布であり得る。
【誤訳訂正３】
【訂正対象書類名】特許請求の範囲
【訂正対象項目名】全文
【訂正方法】変更
【訂正の内容】
【特許請求の範囲】
【請求項１】
リチウム二次電池用セパレータの製造方法であって、
多孔性基材の少なくとも一面に無機物粒子を含む多孔性コーティング層を形成する段階と、
高分子粒子を帯電し、帯電された高分子粒子を形成する帯電段階と、
レーザープリンティング方式により、前記帯電された高分子粒子を、前記多孔性コーティング層の上面に転写して、機能性コーティング層を形成する転写段階と、
前記機能性コーティング層を熱及び圧力で固定する定着段階とを含んでなる、
リチウム二次電池用セパレータの製造方法。
【請求項２】
前記多孔性基材が、高密度ポリエチレン、低密度ポリエチレン、線状低密度ポリエチレン、超高分子量ポリエチレン、ポリプロピレン、ポリエチレンテレフタレート、ポリブチレンテレフタレート、ポリエステル、ポリアセタール、ポリアミド、ポリカーボネート、ポリイミド、ポリエーテルエーテルケトン、ポリエーテルスルホン、ポリフェニレンオキサイド、及びポリフェニレンスルファイドからなる群より選択される何れか一種又は二種以上の混合物で形成されたことを特徴とする、請求項１に記載のリチウム二次電池用セパレータの製造方法。
【請求項３】
前記無機物粒子が、誘電率定数が５以上の無機物粒子、リチウムイオン伝達能力を有する無機物粒子、及びこれらの混合物からなる群より選択されることを特徴とする、請求項１又は２に記載のリチウム二次電池用セパレータの製造方法。
【請求項４】
前記誘電率定数が５以上の無機物粒子が、ＳｒＴｉＯ3、ＳｎＯ2、ＣｅＯ2、ＭｇＯ、ＮｉＯ、ＣａＯ、ＺｎＯ、ＺｒＯ2、ＳｉＯ2、Ｙ2Ｏ3、Ａｌ2Ｏ3、ＡｌＯＯＨ、Ａｌ（ＯＨ）3、ＴｉＯ2、ＳｉＣ、ＢａＴｉＯ3、Ｐｂ（Ｚｒx、Ｔｉ1-x）Ｏ3（ＰＺＴ、０＜ｘ＜１）、Ｐｂ1-xＬａxＺｒ1-yＴｉyＯ3（ＰＬＺＴ、０＜ｘ＜１、０＜ｙ＜１）、（１−ｘ）Ｐｂ（Ｍｇ1/3Ｎｂ2/3）Ｏ3−ｘＰｂＴｉＯ3（ＰＭＮ‐ＰＴ、０＜ｘ＜１）、及びＨｆＯ2からなる群より選択される何れか一種又は二種以上の混合物であることを特徴とする、請求項３に記載のリチウム二次電池用セパレータの製造方法。
【請求項５】
前記リチウムイオン伝達能力を有する無機物粒子が、リチウムホスフェート（Ｌｉ3ＰＯ4）、リチウムチタンホスフェート（ＬｉxＴｉy（ＰＯ4）3、０＜ｘ＜２、０＜ｙ＜３）、リチウムアルミニウムチタンホスフェート（ＬｉxＡｌyＴｉz（ＰＯ4）3、０＜ｘ＜２、０＜ｙ＜１、０＜ｚ＜３）、（ＬｉＡｌＴｉＰ）xＯy系列ガラス（０＜ｘ＜４、０＜ｙ＜１３）、リチウムランタンチタネート（ＬｉxＬａyＴｉＯ3、０＜ｘ＜２、０＜ｙ＜３）、リチウムゲルマニウムチオホスフェート（ＬｉxＧｅyＰzＳw、０＜ｘ＜４、０＜ｙ＜１、０＜ｚ＜１、０＜ｗ＜５）、リチウムナイトライド（ＬｉxＮy、０＜ｘ＜４、０＜ｙ＜２）、ＳｉＳ2系列ガラス（ＬｉxＳｉyＳz、０＜ｘ＜３、０＜ｙ＜２、０＜ｚ＜４）、及びＰ2Ｓ5系列ガラス（ＬｉxＰyＳz、０＜ｘ＜３、０＜ｙ＜３、０＜ｚ＜７）からなる群より選択される何れか一種又は二種以上の混合物であることを特徴とする、請求項３に記載のリチウム二次電池用セパレータの製造方法。
【請求項６】
前記無機物粒子の平均粒径が、０．００１μｍないし１００μｍであることを特徴とする、請求項１〜５の何れか一項に記載のリチウム二次電池用セパレータの製造方法。
【請求項７】
前記多孔性コーティング層の厚さが、１μｍないし１００μｍであることを特徴とする、請求項１〜６の何れか一項に記載のリチウム二次電池用セパレータの製造方法。
【請求項８】
前記高分子粒子が、ポリフッ化ビニリデン‐ヘキサフルオロプロピレン（ＰＶＤＦ‐ＨＦＰ）、ポリフッ化ビニリデン‐クロロトリフルオロエチレン、ポリフッ化ビニリデン‐トリクロロエチレン、ポリメチルメタクリレート、ポリブチルアクリレート、ポリアクリロニトリル、ポリビニルピロリドン、ポリビニルアセテート、エチレンビニルアセテート共重合体、ポリエチレン、ポリエチレンオキサイド、ポリアリレート、セルロースアセテート、セルロースアセテートブチレート、セルロースアセテートプロピオネート、シアノエチルプルラン、シアノエチルポリビニルアルコール、シアノエチルセルロース、シアノエチルスクロース、プルラン、アルジネート、及びカルボキシルメチルセルロースからなる群より選択される何れか一種又は二種以上の混合物であることを特徴とする、請求項１〜７の何れか一項に記載のリチウム二次電池用セパレータの製造方法。
【請求項９】
前記機能性コーティング層の厚さが、０．００１μｍないし５μｍであることを特徴とする、請求項１〜８の何れか一項に記載のリチウム二次電池用セパレータの製造方法。
【請求項１０】
前記機能性コーティング層が、線状パターン、波柄パターン、格子柄のパターン、及び不規則パターンからなる群より選択された少なくとも何れか１つのパターンで形成されたことを特徴とする、請求項１〜９の何れか一項に記載のリチウム二次電池用セパレータの製造方法。
【手続補正書】
【提出日】平成27年11月19日(2015.11.19)
【手続補正１】
【補正対象書類名】特許請求の範囲
【補正対象項目名】全文
【補正方法】変更
【補正の内容】
【特許請求の範囲】
【請求項１】
動き検知への応答および窓装飾システムを管理するシステムであって、前記管理するシステムは、
領域内の動きを検知する１つ以上の占有センサと、
窓装飾システムの位置および方向のうち少なくとも１つを制御するための少なくとも１つの手段を有する前記窓装飾システムと、
メモリと通信するプロセッサであり、前記メモリはコードを含み、前記コードが前記プロセッサによってアクセスされるとき、前記コードにより前記プロセッサに、前記窓装飾システムの位置および方向の動きのスケジュールを決定させ、前記窓装飾システムの動きの各スケジュールされた時間は適合間隔時間を有し、前記窓装飾システムの各適合間隔時間は前記１つ以上の占有センサのタイムアウト時間より大きい、プロセッサと、
を備え、
動きのスケジュールにおける対応する動きの時間での前記窓装飾システムの位置および方向のうち少なくとも１つを決定し、前記決定された前記窓装飾システムの前記位置および前記方向のうち少なくとも１つが、現在の時間および次の時間のうちの１つに基づいており、
前記領域内の占有を判定するのに使用するために、前記１つ以上の占有センサから信号を受け取り、かつ、
前記現在の時間での前記領域内の前記占有の判定に応じて、前記窓装飾システムを前記判定された前記位置および方向の少なくとも１つに設定する、
ことを特徴とするシステム。
【請求項２】
前記窓装飾システムの前記位置は、地理的な位置、前記窓装飾システムの地理的な方位、時刻、年間通算日、前記窓装飾システムの幾何形状特性および前記領域の幾何形状特性に基づく、
請求項１に記載のシステム。
【請求項３】
前記窓装飾システムの前記方向は、地理的な位置、前記窓装飾システムの地理的な方位、時刻、年間通算日、前記窓装飾システムの幾何形状特性および前記領域の幾何形状特性に基づく、
請求項１に記載のシステム。
【請求項４】
前記窓装飾システムの位置および方向のうち少なくとも１つを制御する前記少なくとも１つの手段は、前記占有センサの少なくとも１つによって動きが検知されるときに作動する、
請求項１に記載のシステム。
【請求項５】
前記１つ以上の占有センサの前記タイムアウト時間は、前記１つ以上の占有センサの前記窓装飾システムの動きに対する感受性に基づいて判定される、
請求項１に記載のシステム。
【請求項６】
前記１つ以上の占有センサの前記タイムアウト時間は、前記１つ以上の占有センサが前記窓装飾システムの動きに対して感受性があるときに、より短い、
請求項５に記載のシステム。
【請求項７】
前記次の時間は、前記現在の時間と前記適合間隔時間である、
請求項１に記載のシステム。
【請求項８】
動き検知への応答および窓装飾システムを管理する方法であって、
窓装飾システムの位置および方向の動きのスケジュールを判定するステップであり、前記窓装飾システムの動きの各スケジュールされた時間は適合間隔時間を有し、各適合間隔時間は占有センサのタイムアウト時間より大きいステップと、
動きのスケジュールにおける対応する動きの時間での前記窓装飾システムの前記位置および前記方向のうち少なくとも１つを判定するステップであり、前記窓装飾システムの前記少なくとも１つの位置および方向の前記動きは、現在の時間および次の時間のうち少なくとも１つに基づく、ステップと、
前記占有センサの動きの指示を受け取るステップと、
前記動きの指示に応じて、前記現在の時間において前記窓装飾システムの前記判定された少なくとも１つの位置および方向を出力するステップと、
を含む、
ことを特徴とする方法。
【請求項９】
前記窓装飾システムの前記位置は、地理的な位置、前記窓装飾システムの地理的な方位、時刻、年間通算日、前記窓装飾システムの幾何形状特性および空間の幾何形状特性に基づく、
請求項８に記載の方法。
【請求項１０】
前記窓装飾システムの前記方向は、さらに、地理的な位置、前記窓装飾システムの地理的な方位、時刻、年間通算日、前記窓装飾システムの幾何形状特性および空間の幾何形状特性に基づく、
請求項８に記載の方法。
【請求項１１】
動きが前記占有センサによって検知されるときに、前記窓装飾システムの位置および方向のうち少なくとも１つを制御するステップ、をさらに含む、
請求項８に記載の方法。
【請求項１２】
前記占有センサの前記タイムアウト時間は、前記占有センサの前記窓装飾システムの動きに対する感受性に基づいて判定される、
請求項８に記載の方法。
【請求項１３】
前記占有センサの前記タイムアウト時間は、前記占有センサが前記窓装飾システムの動きに対して感受性があるときに、より短い、
請求項１２に記載の方法。
【請求項１４】
前記次の時間は、前記現在の時間と前記適合間隔時間である、
請求項８に記載の方法。
【請求項１５】
空間内における占有センサであって、
窓装飾システムの位置および方向の動きのスケジュールを受け取り、前記窓装飾システムは各スケジュールされた動きに対する適合間隔時間を有し、前記窓装飾システムの前記適合間隔時間は前記占有センサのタイムアウト時間より大きく、
動きのスケジュールにおける対応する動きの時間での前記窓装飾システムの前記位置および前記方向のうち少なくとも１つを判定し、前記窓装飾システムの前記少なくとも１つの位置および方向の前記動きは、現在の時間および次の時間のうち少なくとも１つに基づいており、
前記占有センサの動きの指示を受け取り、かつ、
前記動きの指示に応じて、前記現在の時間において、前記窓装飾システムの前記判定された少なくとも１つの位置および方向を出力する、
ことを特徴とする占有センサ。
【請求項１６】
前記窓装飾システムの前記位置は、地理的な位置、前記窓装飾システムの地理的な方位、時刻、年間通算日、前記窓装飾システムの幾何形状特性および前記空間の幾何形状特性に基づく、
請求項１５に記載の占有センサ。
【請求項１７】
前記窓装飾の前記方向は、地理的な位置、前記窓装飾の地理的な方位、時刻、年間通算日、前記窓装飾システムの幾何形状特性および前記空間の幾何形状特性にさらに基づく、
請求項１５に記載の占有センサ。
【請求項１８】
前記占有センサの前記タイムアウト時間は、前記占有センサの前記窓装飾システムの動きに対する感受性に基づいて判定される、
請求項１５に記載の占有センサ。
【請求項１９】
前記占有センサの前記タイムアウト時間は、前記占有センサが前記窓装飾システムの動きに対して感受性があるときに、より短い、
請求項１５に記載の占有センサ。
【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
蓄積装置に蓄積されるエネルギー量を制御するための制御装置であって、
−  前記蓄積装置に現在蓄積されているエネルギー量を示す電圧信号を受信し、
−  前記蓄積装置に現在蓄積されているエネルギー量に基づいて、前記制御装置の入力部を介して受信される電力を調整し、
−  前記調整された電力を前記制御装置の出力部を介して前記蓄積装置に出力する制御ユニットを含み、
−  前記制御ユニットが、前記受信電力を調整するコンバータ回路を含み、前記受信電力の調整は、前記蓄積装置に現在蓄積されているエネルギー量に基づいて、前記コンバータ回路の最大電流値を調整することを含む、制御装置。
【請求項２】
前記制御ユニットが、マイクロコントローラユニット（ＭＣＵ）を含む、請求項１に記載の制御装置。
【請求項３】
前記コンバータ回路が、前記ＭＣＵから受信された制御信号に基づいて、前記受信電力を調整する、請求項１に記載の制御装置。
【請求項４】
前記ＭＣＵからの前記制御信号が、前記コンバータ回路に含まれるスイッチング装置の負荷サイクルを制御するための第１の制御信号を含む、請求項３に記載の制御装置。
【請求項５】
前記ＭＣＵからの前記制御信号が、前記コンバータ回路の前記最大電流を制御するための第２の制御信号を含む、請求項３又は４に記載の制御装置。
【請求項６】
前記ＭＣＵが、前記蓄積装置に現在蓄積されているエネルギー量を示す前記制御信号の少なくとも１つを、前記受信電圧信号に基づいて生成する、請求項３乃至５のいずれか一項に記載の制御装置。
【請求項７】
前記コンバータ回路がブーストコンバータである、請求項３乃至６のいずれか一項に記載の制御装置。
【請求項８】
前記第１及び／又は第２の制御信号が、パルス幅変調（ＰＭＷ）信号である、請求項３乃至７のいずれか一項に記載の制御装置。
【請求項９】
電力が、
−  受信遠隔制御信号と、
−  外部及び／又は内部温度センサによって検出された温度値と、
の少なくとも１つに基づいて更に調整される、請求項１乃至８のいずれか一項に記載の制御装置。
【請求項１０】
前記ＭＣＵが、前記受信電力を調整するためにＰＩＤ制御を使用する、請求項１乃至９のいずれか一項に記載の制御装置。
【請求項１１】
請求項１乃至１０のいずれか一項に記載の制御装置を含む、光源を駆動するためのドライバ回路。
【請求項１２】
光源と、前記光源を駆動するための請求項１１に記載のドライバ回路とを含む照明装置。
【請求項１３】
前記光源が、少なくとも１つの発光ダイオード（ＬＥＤ）又はＬＥＤストリングを含む、請求項１２に記載の照明装置。
【請求項１４】
蓄積装置に蓄積されるエネルギー量を制御するためのシステムであって、
−  請求項１乃至１０のいずれか一項に記載の制御装置であって、電源に接続された制御装置と、
−  蓄積装置と、
−  少なくとも前記蓄積装置に接続された負荷と、
を含み、
−  前記電源が、電子変圧器及び／又は整流器を含むことと、
−  前記蓄積装置が、少なくとも１つのコンデンサを含むことと、
−  前記蓄積装置が、中間電解コンデンサを含むことと、
−  前記負荷が、少なくとも１つのバックコンバータ及び／又は少なくとも１つの光源を含むことと、
−  前記負荷が、少なくとも１つの発光ダイオード（ＬＥＤ）又はＬＥＤストリングを含む少なくとも１つの光源を含むことと、
の少なくとも１つが当てはまるシステム。
【請求項１５】
蓄積装置に蓄積されるエネルギー量を制御するための方法であって、
−  前記蓄積装置に現在蓄積されているエネルギー量を検出するステップと、
−  前記検出されたエネルギー量に基づいて、前記蓄積装置に供給される電力を調整するステップであって、電力を調整する前記ステップが、
−  コンバータ回路のスイッチング装置における負荷サイクルを調整することと、
−  前記検出されたエネルギー量に基づいて、前記コンバータ回路の最大電流値を調整することと、
−  前記検出されたエネルギー量が所定の範囲内にない場合に、電力の調整を停止し、且つ／又は調整された電力の出力を停止することと、の少なくとも１つを含むステップと、
を含む方法。
【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
ルールに基づくコンテキスト取得のための方法であって、
コンテキスト取得システムにおいてアプリケーションからターゲット・コンテキストの要求を受け取る工程と、
ルールベースの推論のキャッシュを使用して、前記ターゲット・コンテキストに関連するコンテキスト・ルールを識別する工程と、
前記要求の結果として検知プロシージャを開始せずに、以前取得したコンテキスト及び前記コンテキスト・ルールに基づいて、前記ターゲット・コンテキストの推論値を決定する工程と
前記以前取得したコンテキスト及び前記コンテキスト・ルールに基づいて、前記ターゲット・コンテキストの前記推論値を決定することができない場合、ルールベースの取得プランナを使用して前記ターゲット・コンテキストの前記推論値を取得するための検知プランの第１のステップを実行する工程であって、前記第１のステップが、前記コンテキスト・ルール又はコスト又はその任意の組合せに基づいて決定される、工程と、
前記ターゲット・コンテキストの前記推論値が得られるまで、前記検知プランの複数の後続ステップのいずれかを実行する工程であって、前記複数の後続ステップの各々が、前記コンテキスト・ルール、前記コスト又は前記検知プランの先行するステップの結果、又はその任意の組合せに基づいて個々に決定される、工程と
を含む、方法。
【請求項２】
前記コンテキスト取得システム内で前記ターゲット・コンテキストの正確な値が見つかる場合、前記正確な値を前記アプリケーションに出力する工程を含む、請求項１に記載の方法。
【請求項３】
前記ターゲット・コンテキストの前記推論値を前記アプリケーションに出力する工程を含む、請求項１に記載の方法。
【請求項４】
前記アプリケーションが、モバイル・コンピューティング・デバイス内に実装されるコンテキスト・アウェア・アプリケーションを備える、請求項１に記載の方法。
【請求項５】
コンテキスト・ルール・マイナ内において前記コンテキスト・ルールを作成する工程と、前記ルールベースの推論のキャッシュ内の前記ターゲット・コンテキストに関連する前記コンテキスト・ルールを結合して、前記ターゲット・コンテキストの論理式のツリーを作成する工程を含む、請求項１に記載の方法。
【請求項６】
前記論理式のツリーを使用して、前記ターゲット・コンテキストの前記推論値を取得するための前記検知プランを決定する工程を含む、請求項５に記載の方法。
【請求項７】
前記検知プランの前記第１のステップを実行する工程又は前記検知プランの前記複数の後続ステップのいずれかを実行する工程が、コンピューティング・デバイス内で実装されるセンサを使用して前記ターゲット・コンテキストに関連する検知されたコンテキストを得る工程を含む、請求項１に記載の方法。
【請求項８】
前記コストは、前記ターゲット・コンテキストに関連するセンサ・データを取得する計算コスト又はバッテリコスト又はその双方を含み、前記検知プランの前記第１のステップ及び前記複数の後続ステップは、前記コストに従って昇順で実行されるように選択される、請求項１に記載の方法。
【請求項９】
コンテキスト・ルール・マイナを使用して前記ルールベースの推論のキャッシュ内の検知されたコンテキストから得られるコンテキスト履歴に従って、前記コンテキスト・ルールを生成する工程を含む、請求項１に記載の方法。
【請求項１０】
ルールに基づくコンテキスト取得のためのシステムにおいて、
ルールベースの推論のキャッシュであって、
アプリケーションからターゲット・コンテキストの要求を受け取り、
前記ターゲット・コンテキストに関連するコンテキスト・ルールであって、当該ルールベースの推論のキャッシュ内に格納されるコンテキスト・ルールを識別し、
前記要求の結果として検知プロシージャを開始せずに、以前取得したコンテキスト及び前記コンテキスト・ルールに基づいて、前記ターゲット・コンテキストの推論値を決定する
ように構成される、ルールベースの推論のキャッシュと、
ルールベースの取得プランナであって、
前期以前取得したコンテキスト及び前記コンテキスト・ルールに基づいて、前記ターゲット・コンテキストの前記推論値を決定することができない場合、前記ターゲット・コンテキストの前記推論値を取得するための検知プランの第１のステップであって、前記コンテキスト・ルール又はコスト又はその任意の組合せに基づいて決定される検知プランの第１のステップを実行し、
前記コンテキスト・ルール、前記コスト又は前記検知プランの前記第１のステップの結果又はその任意の組合せに基づいて決定される、前記検知プランの第２のステップを実行する、
ように構成される、ルールベースの取得プランナと
を備える、システム。
【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
第1のシリアル低電力チップ間メディアバス,SLIMbus,構成要素(104)から第2のSLIMbus構成要素(106)にデータを送るステップであって、前記データは複数のSLIMbusデータ線(110, 112)のうちの少なくとも第1のSLIMbusデータ線(110)を介して送られる、送るステップを含む方法。
【請求項２】
前記複数のSLIMbusデータ線(110, 112)のうちの複数のSLIMbusデータ線を介して並列に前記データを送るべきか、または、前記複数のSLIMbusデータ線(110, 112)のうちの単一のSLIMbusデータ線を介して直列に前記データを送るべきかを判定するステップをさらに含む、請求項1に記載の方法。
【請求項３】
前記第1のSLIMbusデータ線(110)の第1のクロック周波数を、前記複数のSLIMbusデータ線(110, 112)のうちの第2のSLIMbusデータ線(112)の第2のクロック周波数とは無関係に変更するステップをさらに含み、前記第1のSLIMbusデータ線(110)の前記第1のクロック周波数は、前記第1のSLIMbusデータ線(110)と関連付けられている対応するギアを変化させることによって変更される、請求項1に記載の方法。
【請求項４】
前記複数のSLIMbusデータ線(110, 112)のうちの1つまたは複数の特定のSLIMbusデータ線を前記データを送るために選択するステップをさらに含み、前記選択はスイッチ選択信号(308)に少なくとも部分的に基づく、請求項1に記載の方法。
【請求項５】
前記第1のSLIMbusデータ線(110)は第1の帯域幅をサポートし、前記複数のSLIMbusデータ線(110, 112)のうちの第2のSLIMbusデータ線(112)は第2の帯域幅をサポートし、前記第2の帯域幅は前記第1の帯域幅以上である、請求項1に記載の方法。
【請求項６】
前記方法は、前記第1のSLIMbus構成要素(104)から前記複数のSLIMbusデータ線(110, 112)のうちの前記第1のSLIMbusデータ線(110)または第2のSLIMbusデータ線(112)を介して前記第2のSLIMbus構成要素(106)に第2のデータを送るステップをさらに含み、前記複数のSLIMbusデータ線(110, 112)の各々は、別個のメッセージングおよびフレーミング構成に応答する、請求項1に記載の方法。
【請求項７】
前記データおよび前記第2のデータは、異なるクロックサイクルまたは重なり合ったクロックサイクルの間に共通のクロックサイクルの間に単一の双方向ポート(512)を介して送られる、請求項6に記載の方法。
【請求項８】
前記第1のSLIMbus構成要素(104)が、前記複数のSLIMbusデータ線(110, 112)を含むバス構成に適応しているか否かを判定するステップと、
1つまたは複数のパケットを、前記判定に少なくとも部分的に基づいて前記複数のSLIMbusデータ線(110, 112)のうちの1つまたは複数を介して前記第1のSLIMbus構成要素(104)に送信するためにスケジューリングするステップと
を含む、請求項１から７に記載の方法。
【請求項９】
複数のシリアル低電力チップ間メディアバス,SLIMbus,データ線(110, 112)のうちの少なくとも第1のSLIMbusデータ線(110)を介して第2のSLIMbus構成要素(106)にデータを送るように構成されている第1のSLIMbus構成要素(104)を備える装置。
【請求項１０】
前記第1のSLIMbus構成要素(104)に、および前記複数のSLIMbusデータ線(110, 112)に結合されているポートデュプリケータ(216)をさらに備える、請求項9に記載の装置。
【請求項１１】
前記ポートデュプリケータ(216)は、前記データを送るときに前記複数のSLIMbusデータ線(110, 112)のうちのいずれの1つまたは複数のSLIMbusデータ線を利用すべきかを選択的に判定するように構成され、前記判定は、前記データおよび前記第2のSLIMbus構成要素(106)のうちの少なくとも一方が単一SLIMbusデータ線SLIMbus構成に適応しているかに少なくとも部分的に基づく、請求項10に記載の装置。
【請求項１２】
前記第1のSLIMbus構成要素(104)は、前記第2のSLIMbus構成要素(106)から前記複数のSLIMbusデータ線(110, 112)のうちの第2のSLIMbusデータ線(112)を介して第2のデータを受信するようにさらに構成されており、前記第1のSLIMbus構成要素(104)の単一の双方向ポート(726c)を介して前記データが送られ、前記第2のデータが受信される、請求項10に記載の装置。
【請求項１３】
前記第1のSLIMbusデータ線(110)と関連付けられている第1のクロック周波数は、前記複数のSLIMbusデータ線(110, 112)のうちの第2のSLIMbusデータ線(112)と関連付けられている第2のクロック周波数に等しいか、または前記第2のクロック周波数とは異なり、前記第1のクロック周波数と前記第2のクロック周波数が等しいとき、前記第1のクロック周波数と前記第2のクロック周波数は前記第1のSLIMbus構成要素(104)の第1のギア(222)に応答し、前記第1のクロック周波数と前記第2のクロック周波数が異なるとき、前記第1のクロック周波数は前記第1のSLIMbus構成要素(104)の第1のギア(222)に応答するとともに、前記第2のクロック周波数は前記第1のSLIMbus構成要素(104)の第2のギア(224)に応答する、請求項9に記載の装置。
【請求項１４】
前記第1のSLIMbus構成要素(104)が、前記複数のSLIMbusデータ線(110, 112)を含むバス構成に適応しているか否かを判定するための手段と、
1つまたは複数のパケットを、前記判定に少なくとも部分的に基づいて前記複数のSLIMbusデータ線(110, 112)のうちの1つまたは複数を介して前記第1のSLIMbus構成要素(104)に送信するためにスケジューリングするための手段と
をさらに備える、請求項9に記載の装置。
【請求項１５】
プロセッサによって実行されると、前記プロセッサに、
シリアル低電力チップ間メディアバス,SLIMbus,構成要素(104)が、複数のSLIMbusデータ線(110, 112)を含むバス構成に適応しているか否かを判定させる動作命令を含む、コンピュータ可読記憶媒体。
【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
コンピュータで実施される方法であって、
プロセスのページのワーキング・セットからスワップする１つまたは複数の候補ページを特定するステップと、
二次記憶部内のスワップ・ファイルに空間を確保するステップであって、前記確保される空間は、前記１つまたは複数の候補ページの合計サイズに対応する、ステップと、
前記候補ページの１つまたは複数を、前記スワップ・ファイルの前記確保された空間内の順次並んだ場所に書き込むステップと
を含む方法。
【請求項２】
書き込まれる前記１つまたは複数の候補ページを、前記ワーキング・セットから順次的アドレス順序で取り除くステップをさらに含む、請求項１に記載の方法。
【請求項３】
前記順次並んだ場所は、一続きに、かつ順次的仮想アドレス順序で前記１つまたは複数の候補ページに割り当てられる、請求項１に記載の方法。
【請求項４】
前記書き込まれた候補ページの少なくとも一部のまとまりを、順次的アドレス順序で前記スワップ・ファイルの前記確保された空間から前記プロセスの前記ワーキング・セットに読み込むステップをさらに含む、請求項１に記載の方法。
【請求項５】
前記スワップ・ファイル内で前記場所を一続きに確保するステップをさらに含む、請求項１に記載の方法。
【請求項６】
前記候補ページの１つまたは複数を書き込む前記ステップが仮想アドレスの順序で連続して行われる、請求項１に記載の方法。
【請求項７】
少なくとも１つのプロセッサと、
メモリと、
前記少なくとも１つのプロセッサによって実行されるメモリ・マネジャとを有するシステムであって、前記メモリ・マネジャは、
前記メモリで実行中のプロセスのページのワーキング・セットからスワップする１つまたは複数の候補ページを特定し、
前記システムの二次記憶部内のスワップ・ファイルに空間を確保し、前記確保される空間は、前記１つまたは複数の候補ページの合計サイズに対応し、
前記候補ページの１つまたは複数を、前記スワップ・ファイルの前記確保された空間内の順次並んだ場所に書き込む
ように動作する、システム。
【請求項８】
前記少なくとも１つのプロセッサによって実行され、検出された前記プロセスの状態に基づいて前記プロセスの前記ワーキング・セットの少なくとも一部分をスワップすることを決定するポリシー・マネジャをさらに備える請求項７に記載のシステム。
【請求項９】
前記メモリ・マネジャがさらに、前記１つまたは複数の書き込まれた候補ページを、前記スワップ・ファイルの前記確保された空間から、前記プロセスの前記ワーキング・セットに順次的アドレス順序で読み込むように動作する請求項７に記載のシステム。
【請求項１０】
少なくとも１つのプロセッサに、
プロセスのページのワーキング・セットからスワップする１つまたは複数の候補ページを特定する動作と、
二次記憶部内のスワップ・ファイルに空間を確保する動作であって、前記確保される空間は、前記１つまたは複数の候補ページの合計サイズに対応する、動作と、
候補ページの１つまたは複数の各々を、前記スワップ・ファイルの前記確保された空間の確保された場所に書き込む動作であって、前記確保された場所は順次的アドレス順序である、動作と、
前記書き込まれた候補ページの少なくとも一部のまとまりを、順次的アドレス順序で前記スワップ・ファイルの前記確保された空間から前記プロセスの前記ワーキング・セットに読み込む動作と
を含む動作とを実行させるコンピュータプログラム。
【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
第１のファイル・システムを有するコンテンツ受信機によって受信したコンテンツ・データを記憶する方法であって、
−前記第１のファイル・システムとの互換性がない第２のファイル・システムを有する記憶装置を前記コンテンツ受信機に結合するステップと、
−前記コンテンツ受信機から前記記憶装置に、前記第１のファイル・システムとの互換性を有する仮想のタイプの第３のファイル・システムを構成する制御データのセットを送信するステップ（ｉ）と、
−前記第２のファイル・システムの少なくとも１つのファイルに前記制御データのセットを記憶するステップと、
−前記第１のファイル・システムの制御下で、前記コンテンツ受信機から受信した前記コンテンツ・データを前記記憶装置に送信するステップ（ｉｉ）と、
−前記第３のファイル・システムの制御下で、前記記憶装置に前記送信されたコンテンツ・データを記憶するステップと、
を含む、前記方法。
【請求項２】
前記制御データのセットを送信するステップ（ｉ）は、送信される前記コンテンツ・データを記憶するために前記コンテンツ受信機から前記記憶装置に確保されるべき記憶容量を表す補助データを送信するステップをさらに含む、請求項１に記載の方法。
【請求項３】
前記制御データのセットを送信するステップ（ｉ）は、前記記憶装置から前記第２のファイル・システムのファイルの最大許容サイズおよび初期サイズを前記コンテンツ受信機によって判定し、前記第２のファイル・システムの前記ファイルの各々によって使用されていない未使用のサイズを推定する先行するステップと、その後の、前記制御データのセットのサイズが推定された未使用のサイズのうちの最大の未使用のサイズよりも大きい場合には、前記制御データのセットを前記コンテンツ受信機によって少なくとも２つのサブセットに分割して前記第２のファイル・システムからの少なくとも２つの選択されたファイルに各々が記憶されるステップと、を含む、請求項１または２に記載の方法。
【請求項４】
前記記憶装置は、少なくとも１つのＵＳＢキーおよび携帯用ハード・ドライブからなる群より選択される、請求項１〜３のいずれか１項に記載の方法。
【請求項５】
前記コンテンツ受信機は、少なくとも１つのセットトップ・ボックスタイプ、復号器、および住居用ゲートウェイからなる群より選択される、請求項１〜４のいずれか１項に記載の方法。
【請求項６】
第１のファイル・システムを有するコンテンツ受信機のための制御装置であって、前記コンテンツ受信機は、前記第１のファイル・システムとは互換性がない第２のファイル・システムを有する記憶装置を前記コンテンツ受信機に結合する手段を備え、当該制御装置は、
−前記コンテンツ受信機に対して、前記第１のファイル・システムと互換性を有する仮想タイプの第３のファイル・システムを構成する制御データのセットを前記記憶装置に送信するように指示し、前記記憶装置に対して、前記第２のファイル・システムの少なくとも１つのファイルに前記制御データのセットを記憶するように指示する手段と、
−前記第１のファイル・システムの制御下で、前記コンテンツ受信機によって受信したコンテンツ・データを、前記コンテンツ受信機から前記記憶装置へ送信することを制御し、前記第３のファイル・システムの制御下で、前記記憶装置に対して、コンテンツ・データを記憶するように指示する手段と、
を備える、前記制御装置。
【請求項７】
前記コンテンツ受信機に対して、前記制御データのセットに加え、送信される前記制御データを記憶するために前記記憶装置に確保されるべき記憶容量を表す補助データを前記第２のファイル・システムに送信するように指示する手段を備える、請求項６に記載の制御装置。
【請求項８】
前記記憶装置から前記第２のファイル・システムの最大許容サイズおよび初期サイズを判定する手段と、
前記第２のファイル・システムの前記ファイルの各々によって使用されていない未使用のサイズを推定する手段と、
前記データのセットのサイズが推定された未使用のサイズのうち、最大の未使用のサイズよりも大きい場合、少なくとも２つのサブセットに分割して前記データのセットを前記第２のファイル・システムの少なくとも２つの選択されたファイルに各々を記憶する手段と、を備える、請求項６または７に記載の制御装置。
【請求項９】
第１のファイル・システムを備え、請求項６〜８のいずれか１項に記載の制御装置をさらに備える、コンテンツ受信機。
【請求項１０】
当該コンテンツ受信機は、少なくとも１つのタイプのセットトップ・ボックス、復号器、および住居用ゲートウェイからなる群より選択される、請求項９に記載のコンテンツ受信機。
【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
遺伝子スキャナと、
論理プロセッサと、
記憶されたプログラムコードと、
レポートエンジンと、を備え、
前記遺伝子スキャナは前記論理プロセッサに通信可能に結合され、
前記記憶されたプログラムコードは前記論理プロセッサによって実行可能であり、
前記レポートエンジンは前記論理プロセッサに通信可能に結合され、これにより、前記レポートエンジンによって生成されるレポートは前記プログラムコードの実行の結果に依存する、
遺伝子ベースの健康管理機器。
【請求項２】
前記遺伝子スキャナは、
ヒト個体からの遺伝物質を受け取るように構成された入力ポートと、
アナログ光信号を解析して、前記入力ポートにおいて受け取られた遺伝物質のデジタル表現を含むデータセットを形成するように構成された閾値機構と、
前記論理プロセッサに通信可能に結合された出力ポートであって、これにより前記遺伝子スキャナから前記論理プロセッサに前記遺伝物質の前記データセットが運ばれることが可能になる、出力ポートと
を備える、請求項１に記載の遺伝子ベースの健康管理機器。
【請求項３】
前記記憶されたプログラムコードは、
アプリケーションコードと、
規則ライブラリとを備え、
前記アプリケーションコードは、前記遺伝子スキャナから受信された遺伝物質のデジタル表現を含むデータセットを考慮して、前記規則ライブラリからの少なくとも１つの論理モジュールの実行を導くように構成される、
請求項１に記載の遺伝子ベースの健康管理機器。
【請求項４】
前記レポートエンジンは所定のレポートテンプレートを備え、前記レポートテンプレートは、それぞれが複数の状態を有する複数の制御オブジェクトを備え、前記制御オブジェクトは前記プログラムコードに応答し、これにより、それらは前記論理プロセッサからの値を反映する現在の状態に設定されることが可能である、請求項１に記載の遺伝子ベースの健康管理機器。
【請求項５】
文書サーバを更に備え、前記文書サーバは遠隔ステーションに通信可能に結合され、完成したテンプレートをユーザ固有の遺伝子レポートとして、認証された要求側当事者に提供するように構成される、請求項４に記載の遺伝子ベースの健康管理機器。
【請求項６】
前記文書は電子的にコード化された文書として特徴付けられる、請求項５に記載の遺伝子ベースの健康管理機器。
【請求項７】
前記電子的にコード化された文書は、「．ｄｏｃ」、「．ｐｄｆ」、「ｘｍｌ」、「ｈｔｍｌ」、「ｊｐｇ」、「ａｓｐｘ」、又は「ｐｈｐ」を含む群からのコード化のうちのいずれかに従ったコード化を有するとして特徴付けられる、請求項６に記載の遺伝子ベースの健康管理機器。
【請求項８】
前記文書サーバはｗｅｂサーバ構成要素を備える、請求項５に記載の遺伝子ベースの健康管理機器。
【請求項９】
前記文書サーバはプリンタドライバを備える、請求項５に記載の遺伝子ベースの健康管理機器。
【請求項１０】
前記論理モジュールはリスク割り当て部分を備える、請求項３に記載の遺伝子ベースの健康管理機器。
【請求項１１】
前記リスク割り当て部分は、２進、３進、４進、５進、及び別の数値システムから成る群から選択される数値システムである、請求項１０に記載の遺伝子ベースの健康管理機器。
【請求項１２】
前記リスク割り当て部分は、「高」、「平均を上回る」、「平均」、「平均未満」、及び「低」のうちの少なくとも２つを用いて特徴付けられる値を含む５進システムである、請求項１０に記載の遺伝子ベースの健康管理機器。
【請求項１３】
前記プログラムコードの実行の前記結果は、ダイエット、代謝、行動、又は運動パフォーマンス応答、あるいはその他の体重／栄養制御トピックと関連する、他のマーカに更に基づくことが可能である、請求項１０に記載の遺伝子ベースの健康管理機器。
【請求項１４】
前記プログラムコードの実行の前記結果は、調査から収集された家族歴、病歴、又はライフスタイル選択に更に基づくことが可能である、請求項１０に記載の遺伝子ベースの健康管理機器。
【請求項１５】
前記プログラムコードの実行の前記結果は、病気リスク、摂食行動、味嗜好、又は食物反応に関連する他のマーカに更に基づくことが可能である、請求項１０に記載の遺伝子ベースの健康管理機器。
【請求項１６】
前記論理モジュールは、前記リスク割り当て部分によって計算されたリスク値に依存する論理部分を更に備える、請求項１０に記載の遺伝子ベースの健康管理機器。
【請求項１７】
前記論理部分は、論理ツリーとして更に規定される、請求項１６に記載の遺伝子ベースの健康管理機器。
【請求項１８】
ヒト個体から遺伝物質を受け取るステップと、
前記遺伝物質を所定の遺伝子プローブの組と反応させるステップと、
前記反応をスキャンして前記遺伝物質のデジタル表現を含むデータセットを形成するステップと、
複数の所定の病気条件のそれぞれについてリスク値を割り当てるステップと、
前記リスク値と前記遺伝物質の前記データセットとに結合された入力を有する論理ツリーを実行するステップと、
前記論理ツリーの前記実行において生成された結果に基づいてレポートのテンプレートの動的フィールドを埋めるステップと、
前記レポートを送信するステップと
を含む、遺伝子ベースの健康管理方法。
【請求項１９】
前記リスク値は、ＬＤＬ、ＨＤＬ、ＴＧ、血糖、摂食行動、代謝、血液脂質、血液タンパク質、代謝産物、ＢＭＩ、及び味のうちの少なくとも２つに関連する、請求項１８に記載の遺伝子ベースの健康管理方法。
【請求項２０】
前記方法は、低脂肪ダイエット、低炭水化物ダイエット、バランスの取れたダイエット、及び地中海ダイエットのうちの少なくとも２つとして特徴付けられるダイエットを用いて前記レポートを埋めることを含む、請求項１９に記載の遺伝子ベースの健康管理方法。
【手続補正書】
【提出日】平成27年12月7日(2015.12.7)
【手続補正１】
【補正対象書類名】特許請求の範囲
【補正対象項目名】全文
【補正方法】変更
【補正の内容】
【特許請求の範囲】
【請求項１】
統合データシグナリングを提供する方法であって、
単一の指示と、複数のデータビットがポイズニングされマスキングされているか否かを示す前記複数のデータビットと、を送信することであって、
前記複数のデータビットがポイズニングされている場合には、第１のデータビットパターンを生成して、単一の指示信号の状態をハイ状態に設定し、
前記複数のデータビットがマスキングされている場合には、第２のデータビットパターンを生成して、前記単一の指示信号の状態をハイ状態に設定し、
前記複数のデータビットがポイズニングされておらずマスキングされていない場合には、前記複数のデータビットに対してデータバス反転を適用するかどうかを判断する、ことを含む、方法。
【請求項２】
前記第２のデータビットパターンは、少なくとも半分がハイ状態に設定され又は以前の複数のデータビットと異なる値に変更された、前記複数のデータビットを含む、請求項１に記載の方法。
【請求項３】
前記第１のデータビットパターンは、少なくとも半分がハイ状態に設定され又は以前の複数のデータビットと異なる値に変更された、前記第２のデータビットパターンとは異なる前記複数のデータビットを含む、請求項２に記載の方法。
【請求項４】
前記データバス反転が前記複数のデータビットに適用された場合に、
前記単一の指示信号の状態をハイ状態に設定することと、
前記データバス反転を前記複数のデータビットに適用することと、をさらに含み、
結果として生じるデータビットパターンは、前記第１のデータビットパターン及び前記第２のデータビットパターンとは異なる、請求項１に記載の方法。
【請求項５】
前記データバス反転が無効とされ、且つ、前記複数のデータビットがマスキングもポイズニングもされていない場合に、前記単一の指示信号の状態をロー状態に設定することをさらに含む、請求項１に記載の方法。
【請求項６】
前記複数のデータビットがポイズニングされていることを示す前記第１のデータビットパターンは、いずれのマスキングされていないデータパターンにおいても発生しない、請求項１に記載の方法。
【請求項７】
統合データシグナリングを受け取る方法であって、
単一の指示と、複数のデータビットと、を受信することと、
単一の指示信号の状態を分析することと、
前記複数のデータビットのデータビットパターンを分析することと、
前記単一の指示信号の状態と、前記データビットパターンとに基づいて、前記複数のデータビットがポイズニングされマスキングされているか否かを判断することと、を含む、方法。
【請求項８】
前記単一の指示信号の状態がハイ状態であって、前記複数のデータビットのうち少なくとも半分がハイ状態に設定され又は以前の複数のデータビットパターンと異なる値に変更された場合に、前記複数のデータビットがマスキングされていると判断すること、をさらに含む、請求項７に記載の方法。
【請求項９】
前記単一の指示信号の状態がハイ状態であって、前記複数のデータビットのうち少なくとも半分がハイ状態に設定され又は以前の複数のデータビットパターンと異なる値に変更され、前記複数のデータビットがマスキングされていない場合に、前記複数のデータビットがポイズニングされていると判断すること、
をさらに含む、請求項８に記載の方法。
【請求項１０】
前記単一の指示信号の状態がハイ状態に設定され、前記複数のデータビットがポイズニングされておらずマスキングされていない場合に、データバス反転が前記複数のデータビットに適用されたと判断すること、をさらに含む、請求項７に記載の方法。
【請求項１１】
前記単一の指示信号の状態がロー状態に設定されている場合に、前記データバス反転が無効とされ、前記複数のデータビットがマスキングもポイズニングもされていないと判断することをさらに含む、請求項７に記載の方法。
【請求項１２】
統合データシグナリングを提供するためのシステムであって、
メモリデバイスと、
前記メモリデバイスに接続された処理ユニットとを備え、
前記処理ユニットは、
単一の指示と、複数のデータビットがポイズニングされマスキングされているか否かを示す前記複数のデータビットと、を送信することであって、
前記複数のデータビットがポイズニングされている場合には、第１のデータビットパターンを生成して、単一の指示信号の状態をハイ状態に設定し、
前記複数のデータビットがマスキングされている場合には、第２のデータビットパターンを生成して、前記単一の指示信号の状態をハイ状態に設定し、
前記複数のデータビットがポイズニングされておらずマスキングされていない場合には、前記複数のデータビットに対してデータバス反転を適用するかどうかを判断する、ことを行うように構成されている、システム。
【請求項１３】
前記処理ユニットは、前記データバス反転が無効とされ、且つ、前記複数のデータビットがマスキングもポイズニングもされていない場合に、前記単一の指示信号の状態をロー状態に設定するように構成されている、請求項１２に記載のシステム。
【請求項１４】
統合データシグナリングを受け取るためのシステムであって、
メモリデバイスと、
前記メモリデバイスに接続された処理ユニットとを備え、
前記処理ユニットは、
単一の指示と、複数のデータビットと、を受信し、
単一の指示信号の状態を分析し、
複数のデータビットのデータビットパターンを分析し、
前記単一の指示信号の前記状態と、前記データビットパターンとに基づいて、前記複数のデータビットがポイズニングされマスキングされているか否かを判断するように構成されている、システム。
【請求項１５】
前記処理ユニットは、前記単一の指示信号の状態がロー状態に設定されている場合に、前記データバス反転が無効とされ、前記複数のデータビットがマスキングもポイズニングもされていないと判断するように構成されている、請求項１４に記載のシステム。
【請求項１６】
命令を符号化する少なくとも１つのコンピュータ可読記憶媒体を含むコンピュータプログラム製品であって、
前記命令は、コンピューティングデバイスによる実行に応じて、前記コンピューティングデバイスに、
単一の指示と、複数のデータビットがポイズニングされマスキングされているか否かを示す前記複数のデータビットと、を送信することであって、
前記複数のデータビットがポイズニングされている場合には、第１のデータビットパターンを生成して、単一の指示信号の状態をハイ状態に設定し、
前記複数のデータビットがマスキングされている場合には、第２のデータビットパターンを生成して、前記単一の指示信号の状態をハイ状態に設定し、
前記複数のデータビットがポイズニングされておらずマスキングされていない場合には、前記複数のデータビットに対してデータバス反転を適用するかどうかを判断する、ことを含む動作を実行させる、コンピュータプログラム製品。